(57)【要約】【課題】本発明は、例えば、クレーンで建築資材等の荷物を吊り上げる際に使用される玉掛けワイヤー装置に関し、玉掛けワイヤーの長さを、荷物の大きさや長さに自由に対応させて繋着させ、吊り下げできるようにすることが課題である。【解決手段】ワイヤーを巻回したリールと、前記リールから繰り出されたワイヤーが鉛直方向に対して所要の角度になると当該リールの繰り出し方向への回転を停止させるロック装置とを少なくとも備えて成る玉掛けワイヤー装置１とする。【選択図】    図１
2004224530.tif 000002
【特許請求の範囲】
【請求項１】
ワイヤーを巻回したリールと、前記リールから繰り出されたワイヤーが鉛直方向に対して所要の角度になると当該リールの繰り出し方向への回転を停止させるロック装置とを少なくとも備えて成ること、
を特徴とする玉掛けワイヤー装置。
【請求項２】
装置框体に設けられた主軸にワイヤーを巻回したリールを対称にして且つ回転自在に配設し、前記リールに係合して該リールを互いに逆方向に同時に等回転させる連動回動手段を配設したこと、
を特徴とする請求項１に記載の玉掛けワイヤー装置。
【請求項３】
ロック装置は、装置框体に立設された補助軸に揺動自在に設けられたレバーと、該レバーの一端部と装置框体との間に設けられた弾性部材と、リールの側板に設けられた逆回転防止爪部とからなり、前記レバーの他端部がワイヤーに当接され、該ワイヤーの鉛直方向に対する角度が変化することで前記レバーが前記補助軸を中心に揺動され、前記角度が所定の角度になると前記レバーの一端部が前記逆転防止爪部に係合して前記リールの繰り出し方向への回転を停止させること、
を特徴とする請求項１または２に記載の玉掛けワイヤー装置。
【請求項４】
連動回動手段は、リールの側板外周に刻設された歯と、装置框体に設けられた歯車軸に回転自在に嵌装されると共に前記歯に噛合する歯車とからなり、主軸に配設された両リールに前記歯車が各々設けられ、且つ、当該両歯車が互いに噛合されていること、
を特徴とする請求項２に記載の玉掛けワイヤー装置。
【請求項５】
主軸に配設された両リールの間には、スラストベアリングが配設されていること、
を特徴とする請求項２乃至４のいずれかに記載の玉掛けワイヤー装置。
【発明の詳細な説明】
【０００１】
【発明の属する技術分野】
本発明は、クレーンで建築資材等の荷物を吊り上げる際に使用される玉掛けワイヤー装置に係り、詳しくは、玉掛けワイヤーの長さを適宜に一定にして、荷物の大きさや長さに自由に対応させ吊り下げできる玉掛けワイヤー装置に関する。
【０００２】
【従来の技術】
従来において、建築資材等の吊り荷をクレーンで吊り上げる場合には、クレーンのフックと吊り荷との間に玉掛け装置が介在される。例えば、図６に示すように、吊り荷であるＰＣ板２０をワイヤー２１で縛り、そのワイヤー端部をクレーンのフック２２で引っかけて、吊り上げるものである。
【０００３】
吊り荷の形状や重量によっては、玉掛け装置として補助具を備えたものも知られている（例えば、特許文献１参照。）。
【０００４】
【特許文献１】
特開平６−２２７７８６号公報（第２頁〜第４頁、第１図〜第６図）
【０００５】
【発明が解決しようとする課題】
しかしながら、従来の玉掛け装置においては、図６（Ａ），（Ｂ）に示すように、矩形状の板状のものから、細長い棒状体の吊り荷２０ａに吊り上げ対象が変わると、吊り荷２０ａに適したワイヤー２１ａを使用する関係から、形状等が異なる吊り荷毎に、ワイヤーを取り替えて使用している。このワイヤー交換が頻繁に行われると、資材等の吊り作業に手間が掛かり、煩わしいものである。本発明に係る玉掛けワイヤー装置は、このような課題を解決する為に提案されたものである。
【０００６】
【課題を解決するための手段】
上記課題を解決するために、本発明に係る玉掛けワイヤー装置の要旨は、ワイヤーを巻回したリールと、前記リールから繰り出されたワイヤーが鉛直方向に対して所要の角度になると当該リールの繰り出し方向への回転を停止させるロック装置とを少なくとも備えて成ることである。
【０００７】
また、装置框体に設けられた主軸にワイヤーを巻回したリールを対称にして且つ回転自在に配設し、前記リールに係合して該リールを互いに逆方向に同時に等回転させる連動回動手段を配設したこと、；
前記ロック装置は、装置框体に立設された補助軸に揺動自在に設けられたレバーと、該レバーの一端部と装置框体との間に設けられた弾性部材と、リールの側板に設けられた逆回転防止爪部とからなり、前記レバーの他端部がワイヤーに当接され、該ワイヤーの鉛直方向に対する角度が変化することで前記レバーが前記補助軸を中心に揺動され、前記角度が所定の角度になると前記レバーの一端部が前記逆転防止爪部に係合して前記リールの繰り出し方向への回転を停止させること、；
前記連動回動手段は、リールの側板外周に刻設された歯と、装置框体に設けられた歯車軸に回転自在に嵌装されると共に前記歯に噛合する歯車とからなり、主軸に配設された両リールに前記歯車が各々設けられ、且つ、当該両歯車が互いに噛合されていること、；
更に、主軸に配設された両リールの間には、スラストベアリングが配設されていることを含むものである。
【０００８】
本発明に係る玉掛けワイヤー装置によれば、例えば、吊り荷を吊り上げる際に、当該装置がクレーンにより吊り荷（持ち上がっていない状態）に対して上昇し、前記ワイヤーが鉛直方向に漸次近くなるように角度変化すると、所定の角度でリールが繰り出し方向への回転をロック装置の作用で停止するので、リールから繰り出されるワイヤーの前記吊り荷に対する長さが決まる。その後、この玉掛けワイヤー装置を前記クレーンで更に上昇させることで、吊り荷を持ち上げることになる。よって、吊り荷に対して、ワイヤーをリールから必要長さ分だけ繰り出してその一端を吊り荷に繋着すればよいので、該吊り荷の大きさ若しくは長さが変わっても、玉掛けのワイヤーを交換する必要がない。
【０００９】
また、前記玉掛けワイヤー装置の装置框体に設けられた主軸にワイヤーを巻回したリールを対称にして且つ回転自在に配設し、前記リールに係合して該リールを互いに逆方向に同時に等回転させる連動回動手段を配設したことで、等しい長さのワイヤーが両リールから繰り出されるようになり、吊り荷を吊り上げた際に当該吊り荷が水平に保たれる。更に、吊り上げ終了後には、リールにワイヤーが等しい長さで巻き取られることになる。
前記ロック装置によって、吊り荷を吊り上げようとして玉掛けワイヤー装置を、位置まで引き上げると、ワイヤーの繰り出しが鉛直方向に対するワイヤーの角度（交差するワイヤーの角度）が設定の角度になると停止されて、ワイヤーの繰り出し長さが決定される。こうして、吊り荷と、交差するワイヤーとでなる三角形状が、吊り荷の大きさ・長さに関わらず常に一定の二等辺三角形と相似形状になる。
【００１０】
【発明の実施の形態】
次に、本発明に係る玉掛けワイヤー装置１について、図面を参照して説明する。なお、発明の理解を容易にするため、従来例に対応する部分には従来例と同一の符号を付けて説明する。
【００１１】
前記玉掛けワイヤー装置１は、図１に示すように、ワイヤー２を巻回したリール３と、前記リール３から繰り出されたワイヤー２が鉛直方向に対して所要の角度になると当該リール３の繰り出し方向への回転を停止させるロック装置４とがある。
【００１２】
前記リール３に関しては、図２乃至図３に示すように、装置框体１ａに略水平に架設された主軸５に、ワイヤー２ａ，２ｂを巻回したリール３ａ，３ｂを対称にして且つ回転自在に配設される。このリール３ａ，３ｂよって、ワイヤー２ａ，２ｂは、図２に示すように、吊り荷２０ａを吊ると、前後方向から見て左右に交差した状態となる。
【００１３】
前記リールを対称にしてとは、ワイヤー２ａ，２ｂを左右方向にクロスさせるためであり、リール３の側板等を厳密に対称配置にしなければならないという意味ではない。また、このリール３ａ，３ｂには、コイルバネの一端が係止されていて、常に、ワイヤー２ａ，２ｂを巻き取る方向に該リール３ａ，３ｂが付勢されている。
【００１４】
前記両リール３ａ，３ｂの側板３ｃ外周には、歯３ｄが刻設されている。このリール３とともに回転する歯３ｄを形成するには、種々の構成が提案されるが、例えば、側板３ｃ自体が歯車であっても良いし、又は、側板に大歯車をボルト・ナットで固定して一体的に同軸回転するようにしても良い。
【００１５】
前記主軸５に配設された両リール３ａ，３ｂの間には、スラストベアリング６が配設されている。両リールの回転を滑らかにするためであり、且つ、リールの捻れに対する剛性を増すためである。
【００１６】
前記リール３ａ，３ｂに係合して該リール３ａ，３ｂを互いに逆方向に同時に等回転させる連動回動手段である、歯車装置７が配設されている。この連動回動手段である歯車装置７は、図２乃至図３に示すように、リール３ａ，３ｂの側板外周に刻設された歯３ｄと、装置框体１ａに設けられた歯車軸１ｂ，１ｃに回転自在に嵌装されると共に前記歯３ｄに噛合する歯車８，９とからなる。
【００１７】
前記主軸５に配設された両リール３ａ，３ｂに前記歯車８，９が各々設けられ、且つ、当該両歯車８，９が互いに噛合されている。なお、この構成に限らず、例えば、前記歯車軸１ｂと歯車８とが一体にされて、これが、装置框体１ａに回転自在に支持されていても良い。
【００１８】
前記ロック装置４は、装置框体１ａに立設された補助軸１ｄ，１ｅに揺動自在に設けられたレバー１０，１１と、該レバー１０，１１の一端部１０ａ，１１ａと装置框体１ａとの間に設けられ、前記一端部１０ａ，１１ａを歯３ｄから常に離隔させるように付勢する弾性部材であるコイルバネ１２と、リール３ａ，３ｂの他方の側板３ｅ，３ｆに設けられた逆回転防止爪部１３とからなる。前記側板３ｅの逆回転防止爪部１３と、側板３ｆの逆回転防止爪部１３とは、互いに爪の向きが逆向きとなるように取り付けられている。
【００１９】
図２及び図４に示すように、前記レバー１０の他端部１０ｂがワイヤー２ａに当接され、前記レバー１１の他端部１１ｂがワイヤー２ｂに当接されている。具体的には、前記他端部１０ｂにリング１４が設けられ、そのリング１４にワイヤー２ａが挿通されている。前記ワイヤー２ａの鉛直方向に対する角度が変化することで前記レバー１０が前記補助軸１ｄを中心に揺動されるようになっている。また、前記レバー１１も同様にワイヤー２ｂに当接されている。
【００２０】
このようにして構成される玉掛けワイヤー装置１を使用する方法を説明する。まず、図２に示すように、各リール３ａ，３ｂからワイヤー２ａ，２ｂを引き出してその端部を吊り荷２０ａの端部に繋着させる。このとき、装置框体１ａの上下方向の高さ位置は低く、ワイヤー２ａ，２ｂの交差角度θは大である。なお、リール３ａ，３ｂから引き出されたワイヤー２ａ，２ｂは、当該リールが巻き取り方向に付勢されているので、弛むことはない。
【００２１】
次に、クレーンのフック２２で吊り上げると、前記玉掛けワイヤー装置１が上昇し、吊り荷２０ａの重さでワイヤー２ａ，２ｂが繰り出される。よって、リール３ａ，３ｂは、コイルバネの付勢力に抗してワイヤーの繰り出し方向に回転する。なお、連動回動手段の歯車装置７によって、ワイヤー２ａ，２ｂは同じ長さが繰り出される。よって、図２及び図５に示すように、ワイヤー２ａ，２ｂの繰り出された長さは常に同じであることから、交差するワイヤー２ａ，２ｂと吊り荷２０ａとによって、二等辺三角形状態になる。
【００２２】
前記玉掛けワイヤー装置１が上昇するにつれて、ワイヤー２ａ，２ｂの鉛直方向に対する角度が小さくなって、交差角θが大から小となる。そして、前記角度θが所定の角度（例えば、θ＝６０゜、このθは任意に設定する）になると、前記ワイヤー２ａ，２ｂによって揺動されたレバー１０，１１の一端部１０ａ，１１ａが前記逆転防止爪部１３の爪１３ａに係合する。
【００２３】
これによって、前記一端部１０ａが、図５に示すように、前記爪１３ａの底に食い込み、同様に、一端部１１ａも前記逆転防止爪部１３の爪に係合する。こうして、前記リール３ａ，３ｂの繰り出し方向への回転が停止される。
【００２４】
これにより、装置框体１ａから繰り出されたワイヤー２ａ．２ｂの長さが決まり、その後、更にクレーンのフック２２が上昇することで、前記吊り荷２０ａが吊り上げられる。
【００２５】
前記吊り荷２０ａを所定の位置に搬送した後に、前記装置框体１ａを降下させると、ワイヤー２ａ，２ｂの交差角度θが大きくなり、コイルバネ１２によってレバー１０，１１の一端部１０ａ，１１ａが揺動して爪から離隔される。その係止解除により、リール３ａ，３ｂが巻き取り方向にコイルバネによって自動的に回転されて、ワイヤー２ａ，２ｂが各リール３ａ，３ｂに巻き取られる。その後、ワイヤー２ａ，２ｂの端部を吊り荷２０ａの端部から外す。
【００２６】
このようにして、吊り荷２０ａの大きさや長さが変更されても、リール３からワイヤー２を必要分だけ引き出すことで、ワイヤー２の交換無しに吊り上げ作業が可能となるものである。
【００２７】
【発明の効果】
上記説明したように、本発明に係る玉掛けワイヤー装置は、ワイヤーを巻回したリールと、前記リールから繰り出されたワイヤーが鉛直方向に対して所要の角度になると当該リールの繰り出し方向への回転を停止させるロック装置とを少なくとも備えて成るので、吊り荷の大きさや長さが変更されても、ワイヤーを交換する必要が無くなり、吊り作業能率が大幅に向上すると言う優れた効果を奏するものである。また、適正な長さで荷を吊るため、安全面でも効果がある。
【００２８】
装置框体に設けられた主軸にワイヤーを巻回したリールを対称にして且つ回転自在に配設し、前記リールに係合して該リールを互いに逆方向に同時に等回転させる連動回動手段を配設したので、ワイヤーが同じ長さでリールから繰り出され、吊り荷を水平に持ち上げることができる。
前記ロック装置により、吊り荷の大きさや長さに応じて、ワイヤーの長さを適宜に変えつつ、前記吊り荷を持ち上げることができるようになる。
【００２９】
前記連動回動手段は、リールの側板外周に刻設された歯と、装置框体に設けられた歯車軸に回転自在に嵌装されると共に前記歯に噛合する歯車とからなり、主軸に配設された両リールに前記歯車が各々設けられ、且つ、当該両歯車が互いに噛合されているので、簡易な構成でワイヤーを同じ長さで繰り出すことができる。
【図面の簡単な説明】
【図１】本発明に係る玉掛けワイヤー装置１の使用状態の斜視図である。
【図２】同本発明に係る玉掛けワイヤー装置１の構成を示す説明図である。
【図３】同本発明に係る玉掛けワイヤー装置１における装置框体内部の平面図である。
【図４】同玉掛けワイヤー装置１におけるレバー１０の一部拡大斜視図である。
【図５】同玉掛けワイヤー装置１によって、吊り荷２０ａを吊り上げた状態の説明図である。
【図６】従来例に係る玉掛けワイヤー装置による、吊り荷２０と吊り荷２０ａの場合の使用状態説明図（Ａ），（Ｂ）である。
【符号の説明】
１          玉掛けワイヤー装置、    １ａ          装置框体  、
１ｂ，１ｃ  歯車軸、                        １ｄ，１ｅ    補助軸、
２，２ａ，２ｂ  ワイヤー、
３，３ａ，３ｂ  リール、
３ｃ        側板、                  ３ｄ          歯、
３ｅ，３ｆ  側板、                  ４            ロック装置、
５          主軸、                  ６            スラストベアリング、
７          歯車装置、              ８，９        歯車、
１０，１１  レバー、
１０ａ，１１ａ  一端部、
１０ｂ，１１ｂ  他端部、
１２        コイルバネ、            １３          逆回転防止爪部、
１４        リング、                ２０，２０ａ  吊り荷、
２２        フック。
【図１】
2004224530.tif 000003
【図２】
2004224530.tif 000004
【図３】
2004224530.tif 000005
【図４】
2004224530.tif 000006
【図５】
2004224530.tif 000007
【図６】
2004224530.tif 000008